(57)【要約】【課題】画像供給装置の意図しない動作を抑制可能な画像表示システム及びその制御方法を提供する。【解決手段】リモコン３は、第１キー群６１の操作キーが操作された場合には、赤外線の操作信号をプロジェクターに送信し、第２キー群６２の操作キーが操作された場合には、Ｂｌｕｅｔｏｏｔｈの操作信号を画像供給装置に送信し、第３キー群６３の操作キーが操作された場合には、双方の操作信号を送信する。メニューキー５２が操作された場合、プロジェクターは、メニュー画像を表示させる制御と、画像供給装置への操作制限コマンドの出力とを行い、操作制限コマンドの出力の後で所定の条件が満たされた場合に、メニュー画像の表示を終了させる制御と、画像供給装置への制限解除コマンドの出力とを行う。画像供給装置は、操作制限コマンドが入力されてから制限解除コマンドが入力されるまでの間、第３キー群６３に対応する操作信号に応じた制御を停止する。【選択図】図６
2020181557.tif 000002
【特許請求の範囲】
【請求項１】
画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムであって、
前記リモコンは、
第１の操作キー、第２の操作キー、及び第３の操作キーと、
第１の操作信号を送信する第１の送信部と、
前記第１の操作信号とは通信方式が異なる第２の操作信号を送信する第２の送信部と、
前記第１の操作キーが操作された場合に、前記第１の送信部から前記第１の操作信号を送信させ、前記第２の操作キーが操作された場合に、前記第２の送信部から前記第２の操作信号を送信させ、前記第３の操作キーが操作された場合に、前記第１の送信部からの前記第１の操作信号の送信と、前記第２の送信部からの前記第２の操作信号の送信とを行わせるリモコン制御部と、を有し、
前記画像表示装置は、
前記画像供給装置に接続される第１の入出力部と、
前記第１の操作信号を受信する第１の受信部と、
前記第１の受信部で受信した前記第１の操作信号に応じた制御を行う第１の制御部と、を有し、
前記画像供給装置は、
前記画像表示装置に接続される第２の入出力部と、
前記第２の操作信号を受信する第２の受信部と、
前記第２の受信部で受信した前記第２の操作信号に応じた制御を行う第２の制御部と、を有し、
前記第１の制御部は、
第１の動作を開始させる条件が満たされた場合に、前記第１の動作を開始させる制御と、前記画像供給装置への第１のコマンドの出力とを行い、
前記第１のコマンドを出力した後で前記第１の動作を終了させる条件が満たされた場合に、前記第１の動作を終了させる制御と、前記画像供給装置への第２のコマンドの出力とを行い、
前記第２の制御部は、
前記第１のコマンドが入力されてから前記第２のコマンドが入力されるまでの間、前記第３の操作キーが操作された場合に送信される前記第２の操作信号に応じた制御を停止することを特徴とする画像表示システム。
【請求項２】
請求項１に記載の画像表示システムであって、
前記第１の動作を開始させる条件は、前記第１の受信部が受信した前記第１の操作信号が、前記第１の動作の開始を示すことである画像表示システム。
【請求項３】
請求項１又は２に記載の画像表示システムであって、
前記第１の動作を終了させる条件は、前記第１の受信部が受信した前記第１の操作信号が、前記第１の動作の終了を示すことである画像表示システム。
【請求項４】
請求項１又は２に記載の画像表示システムであって、
前記第１の動作を終了させる条件は、前記第１の受信部により前記第１の操作信号が受信されていない時間が、所定の時間に達することである画像表示システム。
【請求項５】
請求項１〜４のいずれか一項に記載の画像表示システムであって、
前記第１の動作は、前記画像表示装置の設定を行うためのメニュー画像の表示である画像表示システム。
【請求項６】
請求項１〜４のいずれか一項に記載の画像表示システムであって、
前記第１の動作は、前記画像表示装置の状態を示すメッセージを含む画像の表示である画像表示システム。
【請求項７】
請求項１〜６のいずれか一項に記載の画像表示システムであって、
前記第１の操作信号は、赤外線の操作信号であり、前記第２の操作信号は、Ｂｌｕｅｔｏｏｔｈの操作信号である画像表示システム。
【請求項８】
画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムの制御方法であって、
前記リモコンに備わる第１の操作キーが操作された場合に、前記リモコンが、第１の操作信号を送信し、
前記リモコンに備わる第２の操作キーが操作された場合に、前記リモコンが、前記第１の操作信号とは通信方式が異なる第２の操作信号を送信し、
前記リモコンに備わる第３の操作キーが操作された場合に、前記リモコンが、前記第１の操作信号の送信と、前記第２の操作信号の送信とを行い、
前記画像表示装置が、前記第１の操作信号を受信して、前記第１の操作信号に応じた制御を行い、
前記画像供給装置が、前記第２の操作信号を受信して、前記第２の操作信号に応じた制御を行い、
第１の動作を開始させる条件が満たされた場合に、前記画像表示装置が、前記第１の動作を開始させる制御と、前記画像供給装置への第１のコマンドの出力とを行い、
前記画像表示装置が、前記第１のコマンドを出力した後で、前記第１の動作を終了させる条件が満たされた場合に、前記第１の動作を終了させる制御と、前記画像供給装置への第２のコマンドの出力とを行い、
前記画像供給装置が、前記第１のコマンドが入力されてから前記第２のコマンドが入力されるまでの間、前記第３の操作キーが操作された場合に送信される前記第２の操作信号に応じた制御を停止することを特徴とする画像表示システムの制御方法。
【請求項９】
画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムであって、
前記リモコンは、
第１の操作キー、第２の操作キー、及び第３の操作キーと、
第１の操作信号を送信する第１の送信部と、
前記第１の操作信号とは通信方式が異なる第２の操作信号を送信する第２の送信部と、
前記第１の操作キーが操作された場合に、前記第１の送信部から前記第１の操作信号を送信させ、前記第２の操作キーが操作された場合に、前記第２の送信部から前記第２の操作信号を送信させ、前記第３の操作キーが操作された場合に、前記第１の送信部からの前記第１の操作信号の送信と、前記第２の送信部からの前記第２の操作信号の送信とを行わせるリモコン制御部と、を有し、
前記画像表示装置は、
前記画像供給装置に接続される第１の入出力部と、
前記第１の操作信号を受信する第１の受信部と、
前記第１の受信部で受信した前記第１の操作信号に応じた制御を行う第１の制御部と、を有し、
前記画像供給装置は、
前記画像表示装置に接続される第２の入出力部と、
前記第２の操作信号を受信する第２の受信部と、
前記第２の受信部で受信した前記第２の操作信号に応じた制御を行う第２の制御部と、を有し、
前記第１の制御部は、
前記画像表示装置が、前記画像供給装置から供給された画像情報を用いる第1の状態から、前記画像供給装置から供給された画像情報を用いない第２の状態へ変更する操作が行われた場合、前記画像供給装置への第１のコマンドの出力を行い、
前記画像表示装置を前記第２の状態から前記第１の状態へ変更する操作が行われた場合、前記画像供給装置への第２のコマンドの出力を行い、
前記第２の制御部は、
前記第１のコマンドが入力されてから前記第２のコマンドが入力されるまでの間、前記第３の操作キーが操作された場合に送信される前記第２の操作信号に応じた制御を停止することを特徴とする画像表示システム。
【発明の詳細な説明】
【技術分野】
【０００１】
本発明は、画像表示システム及び画像表示システムの制御方法に関する。
【背景技術】
【０００２】
画像表示装置に画像情報を供給する画像供給装置の一例として、特許文献１には、インターネット等を介して取得されるコンテンツを画像表示装置に表示させるセットトップボックスが記載されている。このセットトップボックスは、Ｂｌｕｅｔｏｏｔｈ（登録商標）による通信が可能になっており、ユーザーは、Ｂｌｕｅｔｏｏｔｈ信号を送信するリモコンを用いてセットトップボックスを遠隔操作することができる。
一方、プロジェクター等の画像表示装置の遠隔操作には、赤外線信号を送信するリモコンが一般的に用いられている。このため、赤外線信号で操作され得る画像表示装置に、Ｂｌｕｅｔｏｏｔｈ信号で操作され得る画像供給装置を接続して利用する場合には、赤外線信号とＢｌｕｅｔｏｏｔｈ信号の両方に対応する１つのリモコンで操作できることが望ましい。
【先行技術文献】
【特許文献】
【０００３】
【特許文献１】特開２０１５−１９２３８号公報
【発明の概要】
【発明が解決しようとする課題】
【０００４】
しかしながら、赤外線信号を送信するための操作キーと、Ｂｌｕｅｔｏｏｔｈ信号を送信するための操作キーとを１つのリモコンに配置すると、操作キーの数が増えてしまうため、リモコンの操作性が低下してしまうという問題がある。このため、画像供給装置と画像表示装置の両方で使用され得る操作キーについては、１つにまとめて共通の操作キーとし、この操作キーが操作された際に赤外線信号とＢｌｕｅｔｏｏｔｈ信号の双方を送信する構成にすれば、操作キーの増加を抑制することが可能となる。しかしながら、このような構成では、画像表示装置を操作しようとして共通の操作キーを操作した場合に、画像供給装置が意図しない動作を行ってしまう恐れがある。
【課題を解決するための手段】
【０００５】
本願の画像表示システムは、画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムであって、前記リモコンは、第１の操作キー、第２の操作キー、及び第３の操作キーと、第１の操作信号を送信する第１の送信部と、前記第１の操作信号とは通信方式が異なる第２の操作信号を送信する第２の送信部と、前記第１の操作キーが操作された場合に、前記第１の送信部から前記第１の操作信号を送信させ、前記第２の操作キーが操作された場合に、前記第２の送信部から前記第２の操作信号を送信させ、前記第３の操作キーが操作された場合に、前記第１の送信部からの前記第１の操作信号の送信と、前記第２の送信部からの前記第２の操作信号の送信とを行わせるリモコン制御部と、を有し、前記画像表示装置は、前記画像供給装置に接続される第１の入出力部と、前記第１の操作信号を受信する第１の受信部と、前記第１の受信部で受信した前記第１の操作信号に応じた制御を行う第１の制御部と、を有し、前記画像供給装置は、前記画像表示装置に接続される第２の入出力部と、前記第２の操作信号を受信する第２の受信部と、前記第２の受信部で受信した前記第２の操作信号に応じた制御を行う第２の制御部と、を有し、前記第１の制御部は、第１の動作を開始させる条件が満たされた場合に、前記第１の動作を開始させる制御と、前記画像供給装置への第１のコマンドの出力とを行い、前記第１のコマンドを出力した後で前記第１の動作を終了させる条件が満たされた場合に、前記第１の動作を終了させる制御と、前記画像供給装置への第２のコマンドの出力とを行い、前記第２の制御部は、前記第１のコマンドが入力されてから前記第２のコマンドが入力されるまでの間、前記第３の操作キーが操作された場合に送信される前記第２の操作信号に応じた制御を停止することを特徴とする。
【０００６】
上記の画像表示システムにおいて、前記第１の動作を開始させる条件は、前記第１の受信部が受信した前記第１の操作信号が、前記第１の動作の開始を示すことであってもよい。
【０００７】
上記の画像表示システムにおいて、前記第１の動作を終了させる条件は、前記第１の受信部が受信した前記第１の操作信号が、前記第１の動作の終了を示すことであってもよい。
【０００８】
上記の画像表示システムにおいて、前記第１の動作を終了させる条件は、前記第１の受信部により前記第１の操作信号が受信されていない時間が、所定の時間に達することであってもよい。
【０００９】
上記の画像表示システムにおいて、前記第１の動作は、前記画像表示装置の設定を行うためのメニュー画像の表示であってもよい。
【００１０】
上記の画像表示システムにおいて、前記第１の動作は、前記画像表示装置の状態を示すメッセージを含む画像の表示であってもよい。
【００１１】
上記の画像表示システムにおいて、前記第１の操作信号は、赤外線の操作信号であり、前記第２の操作信号は、Ｂｌｕｅｔｏｏｔｈの操作信号であってもよい。
【００１２】
本願の画像表示システムの制御方法は、画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムの制御方法であって、前記リモコンに備わる第１の操作キーが操作された場合に、前記リモコンが、第１の操作信号を送信し、前記リモコンに備わる第２の操作キーが操作された場合に、前記リモコンが、前記第１の操作信号とは通信方式が異なる第２の操作信号を送信し、前記リモコンに備わる第３の操作キーが操作された場合に、前記リモコンが、前記第１の操作信号の送信と、前記第２の操作信号の送信とを行い、前記画像表示装置が、前記第１の操作信号を受信して、前記第１の操作信号に応じた制御を行い、前記画像供給装置が、前記第２の操作信号を受信して、前記第２の操作信号に応じた制御を行い、第１の動作を開始させる条件が満たされた場合に、前記画像表示装置が、前記第１の動作を開始させる制御と、前記画像供給装置への第１のコマンドの出力とを行い、前記画像表示装置が、前記第１のコマンドを出力した後で、前記第１の動作を終了させる条件が満たされた場合に、前記第１の動作を終了させる制御と、前記画像供給装置への第２のコマンドの出力とを行い、前記画像供給装置が、前記第１のコマンドが入力されてから前記第２のコマンドが入力されるまでの間、前記第３の操作キーが操作された場合に送信される前記第２の操作信号に応じた制御を停止することを特徴とする。
【図面の簡単な説明】
【００１３】
【図１】画像表示システムの構成を示す概略構成図。
【図２】プロジェクターの概略構成を示すブロック図。
【図３】画像供給装置の概略構成を示すブロック図。
【図４】ホーム画面を示す図。
【図５】リモコンの概略構成を示すブロック図。
【図６】リモコンの外観を示す平面図。
【図７】リモコンの動作を説明するためのフローチャート。
【図８】メニュー画像を表示する際のプロジェクターの動作を示すフローチャート。
【図９】メニュー画像を示す図。
【図１０】画像供給装置の動作を説明するためのフローチャート。
【図１１】リモコンの外観を示す平面図。
【図１２】ソース選択画像を表示する際のプロジェクターの動作を示すフローチャート。
【図１３】ソース選択画像を示す図。
【図１４】ダイレクトソース選択を行う際のプロジェクターの動作を示すフローチャート。
【図１５】ＡＶミュートを実行する際のプロジェクターの動作を示すフローチャート。
【発明を実施するための形態】
【００１４】
以下、本実施形態の画像表示システムについて、図面を参照して説明する。
図１は、本実施形態の画像表示システム１００の構成を示す概略構成図である。
図１に示すように、画像表示システム１００は、画像表示装置としてのプロジェクター１と、画像供給装置２と、リモコン３とを備えて構成されている。
【００１５】
プロジェクター１は、画像供給装置２から供給される画像情報に基づく画像を投写面Ｓｐに投写して表示する。画像供給装置２は、本実施形態では、ストリーミングメディアプレーヤーとも呼ばれる小型のセットトップボックスである。画像供給装置２は、インターネット等のネットワークＮＷ（図２参照）に接続され、コンテンツ配信サービスによりネットワークＮＷを介して配信されるコンテンツのストリーミング情報を受信して、ストリーミング情報に含まれる画像情報をプロジェクター１に供給する。これ以降、画像供給装置２からプロジェクター１に供給される画像情報に基づく画像は、「供給画像」とも表記され、供給画像のうち、コンテンツを表す画像は、「コンテンツ画像」とも表記される。
【００１６】
本実施形態の画像供給装置２は、プロジェクター１に画像情報を供給するためのケーブルＣ１と、プロジェクター１から電源の供給を受けるためのケーブルＣ２とを介してプロジェクター１に接続されている。なお、画像供給装置２への電源供給は、商用電源等、プロジェクター１以外から供給される態様であってもよい。
【００１７】
リモコン３は、ユーザーによって操作される複数の操作キーを有して構成される。本実施形態のリモコン３は、通信方式が異なる２つの操作信号を送信することができる。具体的には、リモコン３は、赤外線の操作信号と、近距離無線通信規格であるＢｌｕｅｔｏｏｔｈ（登録商標）に準拠した操作信号とを送信可能であり、ユーザーは、このリモコン３により、プロジェクター１と画像供給装置２の双方を遠隔操作することができる。
【００１８】
図２は、プロジェクター１の概略構成を示すブロック図である。
図２に示すように、プロジェクター１は、第１の制御部としての制御部１０と、記憶部１１と、操作部１２と、第１の受信部としての赤外線信号受信部１３と、第１の入出力部としての画像情報入力部１４と、画像情報処理部１５と、表示部としての画像投写部１６とを含んで構成されている。なお、プロジェクター１は、上記の構成以外に、例えば、ＡＣ１００Ｖ等の商用電源を所定の電圧の直流電源に変換して各部に供給する電源回路や、音声情報を処理する音声情報処理部、音声情報に基づく音声を出力するスピーカー等の音声出力部を含み得るが、図２では、これらの構成は省略されている。
【００１９】
制御部１０は、１つ又は複数のプロセッサーを備えて構成され、記憶部１１に記憶されている制御プログラムに従って動作することによりプロジェクター１の動作を統括制御する。
【００２０】
記憶部１１は、揮発性のメモリーであるＲＡＭ（Random Access Memory）と、不揮発性のメモリーであるＲＯＭ（Read Only Memory）とを備えて構成される。ＲＡＭは、各種データ等の一時記憶に用いられ、ＲＯＭは、プロジェクター１の動作を制御するための制御プログラムや制御データ等を記憶する。
【００２１】
操作部１２は、ユーザーがプロジェクター１に対して各種指示を行うための複数の操作キーを備えている。操作部１２が備える操作キーとしては、電源のオンとオフとを切り替えるための電源キー、後述するメニュー画像Ｐｍ（図９参照）を表示させるためのメニューキー、メニュー画像Ｐｍ内で項目の選択等に用いられる方向キー、選択された項目を確定させる決定キー等がある。ユーザーが操作部１２の各種操作キーを操作すると、操作部１２は、ユーザーの操作内容に応じた操作信号を制御部１０に出力する。なお、後述するように、これらの操作キーは、リモコン３にも備えられており、操作部１２の代わりにリモコン３を用いた遠隔操作が可能になっている。
【００２２】
赤外線信号受信部１３は、図示しない受光素子やデコーダー等を備えて構成される。赤外線信号受信部１３は、リモコン３から送信される赤外線の操作信号を受信してデコードし、制御部１０に伝達する。
【００２３】
画像情報入力部１４は、図示しない接続端子及びインターフェイス回路等を備えて構成され、接続端子を介して画像供給装置２が接続される。本実施形態の画像情報入力部１４は、接続端子として、ＨＤＭＩ（登録商標）（High Definition Multimedia Interface）に準拠したＨＤＭＩ端子を備えており、画像供給装置２からＨＤＭＩに対応する画像情報の供給を受ける。画像情報入力部１４は、画像供給装置２から供給される画像情報を、画像情報処理部１５で処理が可能な形式に変換し、画像情報処理部１５に出力する。また、画像情報入力部１４は、ＨＤＭＩのＣＥＣ（Consumer Electronics Control）と呼ばれる機能による制御情報の入出力を中継する。このため、制御部１０は、画像情報入力部１４を介して画像供給装置２との間で制御情報の入出力を行うことができる。
【００２４】
画像情報処理部１５は、制御部１０の制御に基づいて、画像情報入力部１４から入力される画像情報に対して様々な処理を施し、処理後の画像情報を画像投写部１６のライトバルブ駆動部２４に出力する。例えば、画像情報処理部１５は、明るさやコントラスト等の画質を調整する処理や、メニュー画像Ｐｍや各種メッセージ等のＯＳＤ（オンスクリーンディスプレイ）画像を供給画像の一部又は全体に重畳する処理等を必要に応じて実行する。なお、画像情報処理部１５は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００２５】
画像投写部１６は、光源２１、光変調装置としての３つの液晶ライトバルブ２２Ｒ，２２Ｇ，２２Ｂ、投写光学系２３、ライトバルブ駆動部２４等を備えて構成されている。画像投写部１６は、光源２１から射出された光を、液晶ライトバルブ２２Ｒ，２２Ｇ，２２Ｂで変調して画像光を形成し、投写レンズ等によって構成される投写光学系２３からこの画像光を投写して投写面Ｓｐに画像を表示する。
【００２６】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００２７】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００２８】
ライトバルブ駆動部２４は、液晶ライトバルブ２２Ｒ，２２Ｇ，２２Ｂの画像形成領域２２ｉに画像を形成する。具体的には、ライトバルブ駆動部２４は、画像情報処理部１５から入力される画像情報に応じた駆動電圧を、画像形成領域２２ｉの各画素に印加し、各画素を画像情報に応じた光透過率に設定する。光源２１から射出された光は、液晶ライトバルブ２２Ｒ，２２Ｇ，２２Ｂの画像形成領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、画像情報処理部１５から入力される画像情報に応じた画像が表示される。
【００２９】
図３は、画像供給装置２の概略構成を示すブロック図であり、図４は、ホーム画面を示す図である。
図３に示すように、画像供給装置２は、第２の制御部としての制御部３０と、記憶部３１と、ネットワーク通信部３２と、デコーダー３３と、第２の入出力部としての画像情報出力部３４と、第２の受信部としてのブルートゥース通信部３５とを備えている。
【００３０】
制御部３０は、１つ又は複数のプロセッサーを備えて構成され、記憶部３１に記憶されている制御プログラムに従って動作することにより画像供給装置２の動作を統括制御する。記憶部３１は、ＲＡＭと、ＲＯＭとを含んで構成される。ＲＡＭは、各種データ等の一時記憶に用いられ、ＲＯＭは、画像供給装置２の動作を制御するための制御プログラムや制御データ等を記憶する。
【００３１】
ネットワーク通信部３２は、有線又は無線でネットワークＮＷに接続され、同じネットワークＮＷに接続されている外部の装置との間で情報の送受信を行う。本実施形態のネットワーク通信部３２は、コンテンツ配信サービスのストリーミングサーバーから配信されるストリーミング情報を受信し、受信したストリーミング情報をデコーダー３３に出力する。
【００３２】
デコーダー３３は、ネットワーク通信部３２から入力されるストリーミング情報をデコードし、プロジェクター１で利用可能な形式の画像情報に変換する。本実施形態のデコーダー３３は、ストリーミング情報をデコードして、ＨＤＭＩに準拠した画像情報を生成する。
【００３３】
画像情報出力部３４は、本実施形態ではＨＤＭＩに準拠した接続端子を有し、プロジェクター１の画像情報入力部１４の接続端子に接続される。画像情報出力部３４は、デコーダー３３で生成された画像情報をプロジェクター１の画像情報入力部１４に出力する。また、画像情報出力部３４は、上述したＨＤＭＩのＣＥＣによる制御情報の入出力を中継する。このため、制御部３０は、画像情報出力部３４を介してプロジェクター１との間で制御情報の入出力を行うことができる。
【００３４】
ブルートゥース通信部３５は、Ｂｌｕｅｔｏｏｔｈに準拠した通信デバイスを備えて構成され、２．４ＧＨｚ帯の電波を利用してＢｌｕｅｔｏｏｔｈに準拠した無線通信を行う。ブルートゥース通信部３５は、リモコン３から送信されるＢｌｕｅｔｏｏｔｈの操作信号を受信してデコードし、制御部３０に伝達する。
【００３５】
画像供給装置２は、制御部３０の制御に基づいて、コンテンツを表す画像情報の他、ホーム画面Ｐｈ（図４参照）を表す画像情報をプロジェクター１に出力可能になっている。図４に示すように、ホーム画面Ｐｈは、表示すべきコンテンツを選択するための画面であり、コンテンツ配信サービスを切り替えるための複数のアイコン７１や、コンテンツを選択するための複数のサムネイル画像７２等を含んだ画面である。画像供給装置２の起動時や、ユーザーによりホーム画面Ｐｈの表示が指示された際に、画像供給装置２の制御部３０は、ホーム画面Ｐｈの画像情報を生成し、画像情報出力部３４からプロジェクター１に出力する。これにより、プロジェクター１からホーム画面Ｐｈが投写面Ｓｐに投写される。ユーザーが、リモコン３を用いてホーム画面Ｐｈでコンテンツを選択する操作を行うと、画像供給装置２は、選択されたコンテンツの画像情報の供給を開始し、プロジェクター１からコンテンツ画像が投写面Ｓｐに投写される。
【００３６】
図５は、リモコン３の概略構成を示すブロック図であり、図６は、リモコン３の外観を示す平面図である。
図５に示すように、リモコン３は、リモコン制御部としての制御部４０と、操作部４１と、第１の送信部としての赤外線信号送信部４２と、第２の送信部としてのブルートゥース通信部４３とを備えている。
【００３７】
制御部４０は、１つ又は複数のプロセッサーと、ＲＡＭやＲＯＭ等のメモリーとを備えて構成され、メモリーに記憶されている制御プログラムに従って動作することによりリモコン３の動作を統括制御する。
【００３８】
操作部４１は、ユーザーによって操作される複数の操作キーを備えている。図６に示すように、操作部４１が備える操作キーとしては、プロジェクター１の電源のオンとオフとを切り替えるための電源キー５１、プロジェクター１にメニュー画像Ｐｍを表示させるメニューキー５２、コンテンツ配信サービスを選択するための選択キー５３ａ，５３ｂ、画像供給装置２にホーム画面Ｐｈを表示させるためのホームキー５４、メニュー画像Ｐｍ上で項目の選択や、ホーム画面Ｐｈ上でのコンテンツの選択等に用いられる方向キー５５、選択した項目やコンテンツ等を確定させるための決定キー５６等が含まれる。
【００３９】
これら複数の操作キーは、プロジェクター１の操作にのみ用いられる第１キー群６１と、画像供給装置２の操作にのみ用いられる第２キー群６２と、プロジェクター１と画像供給装置２の双方の操作に用いられる第３キー群６３の３つに分類される。プロジェクター１の操作に用いられる第１キー群６１には、上述した電源キー５１やメニューキー５２等が含まれる。画像供給装置２の操作に用いられる第２キー群６２には、上述した選択キー５３ａ，５３ｂやホームキー５４等が含まれる。また、プロジェクター１と画像供給装置２の双方の操作に用いられる第３キー群６３には、上述した方向キー５５や決定キー５６等が含まれる。
【００４０】
図５に戻って、赤外線信号送信部４２は、赤外線通信用のエンコーダーや赤外線発光装置等を備えて構成される。赤外線信号送信部４２は、制御部４０の制御に基づいて、操作部４１に対する入力操作に応じた操作信号をエンコーダーで変調し、赤外線発光装置により赤外線の操作信号としてプロジェクター１に送信する。赤外線の操作信号は、第１の操作信号に相当する。
【００４１】
ブルートゥース通信部４３は、Ｂｌｕｅｔｏｏｔｈに準拠した通信デバイスを備えて構成され、画像供給装置２との間でＢｌｕｅｔｏｏｔｈに準拠した無線通信を行う。具体的には、ブルートゥース通信部４３は、制御部４０の制御に基づいて、操作部４１に対する入力操作に応じた操作信号をエンコードし、Ｂｌｕｅｔｏｏｔｈの操作信号として画像供給装置２に送信する。Ｂｌｕｅｔｏｏｔｈの操作信号は、第２の操作信号に相当する。
【００４２】
リモコン３の制御部４０は、操作部４１で操作された操作キーに応じて異なる制御を行う。具体的には、操作部４１の第１キー群６１に含まれる操作キーが操作された場合には、制御部４０は、赤外線信号送信部４２から赤外線の操作信号をプロジェクター１に送信させる。一方、第２キー群６２に含まれる操作キーが操作された場合には、制御部４０は、ブルートゥース通信部４３からＢｌｕｅｔｏｏｔｈの操作信号を画像供給装置２に送信させる。また、第３キー群６３に含まれる操作キーが操作された場合には、制御部４０は、赤外線信号送信部４２から赤外線の操作信号を送信させるとともに、ブルートゥース通信部４３からＢｌｕｅｔｏｏｔｈの操作信号を送信させる。つまり、第３キー群６３に含まれる操作信号が操作された場合には、プロジェクター１及び画像供給装置２の双方に操作信号が送信される。
【００４３】
次に、画像表示システム１００の動作及び制御方法について説明する。
図７は、リモコン３の動作を説明するためのフローチャートである。ユーザーが、リモコン３の操作部４１のいずれかの操作キーを操作すると、リモコン３の制御部４０は、図７のフローに従って動作する。なお、リモコン３と画像供給装置２との間には、Ｂｌｕｅｔｏｏｔｈによる通信を行うための無線接続が確立されているものとする。
【００４４】
図７に示すように、ステップＳ１０１では、制御部４０は、操作された操作キーが第１キー群６１に含まれる操作キーであるか否かを判断する。制御部４０は、第１キー群６１に含まれる操作キーである場合にはステップＳ１０２に処理を移し、第１キー群６１に含まれる操作キーではない場合にはステップＳ１０３に処理を移す。
【００４５】
第１キー群６１に含まれる操作キーが操作されてステップＳ１０２に処理が移行した場合には、制御部４０は、赤外線信号送信部４２を制御して、操作された操作キーに対応する赤外線の操作信号を送信させ、フローを終了する。
【００４６】
一方、第２キー群６２又は第３キー群６３に含まれる操作キーが操作されてステップＳ１０３に移行した場合には、制御部４０は、ブルートゥース通信部４３を制御して、操作された操作キーに対応するＢｌｕｅｔｏｏｔｈの操作信号を送信させる。
【００４７】
続くステップＳ１０４では、制御部４０は、操作された操作キーが第２キー群６２に含まれる操作キーであるか否かを判断する。制御部４０は、操作された操作キーが第２キー群６２に含まれる操作キーである場合にはフローを終了する。一方、操作された操作キーが第２キー群６２に含まれる操作キーではない場合、即ち第３キー群６３に含まれる操作キーである場合には、制御部４０は、ステップＳ１０２に処理を移し、赤外線信号送信部４２を制御して、操作された操作キーに対応する赤外線の操作信号を送信させ、フローを終了する。
【００４８】
このように、制御部４０は、操作された操作キーが第１キー群６１に含まれる場合には、赤外線の操作信号のみを送信させ、操作された操作キーが第２キー群６２に含まれる場合には、Ｂｌｕｅｔｏｏｔｈの操作信号のみを送信させる。そして、操作された操作キーが第３キー群６３に含まれる場合には、制御部４０は、赤外線の操作信号と、Ｂｌｕｅｔｏｏｔｈの操作信号の両方を送信させる。
【００４９】
ここで、リモコン３の方向キー５５や決定キー５６は、第３キー群６３に含まれるため、これらの操作キーが操作されると、プロジェクター１と画像供給装置２の双方に操作信号が送信される。例えば、リモコン３の方向キー５５が操作されると、プロジェクター１は、メニュー画像Ｐｍを表示中であれば、送信される操作信号に基づいて、メニュー画像Ｐｍ上の項目の選択等を実行する。一方、画像供給装置２は、ホーム画面Ｐｈを表示中であれば、方向キー５５の操作に応じて送信される操作信号に基づいて、コンテンツの選択等を行う。本実施形態の画像表示システム１００では、メニュー画像Ｐｍで項目の選択等を行う際に意図せずにコンテンツが切り替わってしまうことを抑制するために、メニュー画像Ｐｍを表示している場合には、画像供給装置２に送信される操作信号の一部が無効になるように制御される。
【００５０】
図８は、メニュー画像Ｐｍを表示する際のプロジェクター１の動作を示すフローチャートであり、図９は、メニュー画像Ｐｍを示す図である。ユーザーがリモコン３のメニューキー５２を操作すると、メニュー画像Ｐｍの表示の開始を示す操作信号がリモコン３から送信される。そして、プロジェクター１の赤外線信号受信部１３がこの操作信号を受信すると、プロジェクター１の制御部１０は、図８に示すフローに従って動作する。
【００５１】
図８に示すように、ステップＳ２０１において、制御部１０は、画像情報処理部１５に指示をして、表示中の供給画像、即ちコンテンツ画像やホーム画面Ｐｈ上にメニュー画像Ｐｍを表示させる制御を行う。具体的には、記憶部１１には、メニュー画像Ｐｍに対応する画像情報が記憶されており、制御部１０は、この画像情報を記憶部１１から読み出して画像情報処理部１５に出力する。この結果、コンテンツ画像やホーム画面Ｐｈ上にメニュー画像ＰｍがＯＳＤ画像として重畳されて、投写面Ｓｐに表示される。
【００５２】
メニュー画像Ｐｍは、プロジェクター１の動作に関わる設定や調整を行うための画像である。図９に示すように、メニュー画像Ｐｍの左側には、複数の項目Ｍ１が選択肢として配列されている。メニュー画像Ｐｍは、階層的な構成になっており、ユーザーが、リモコン３を操作して、１つの項目Ｍ１を選択すると、メニュー画像Ｐｍの右側に、選択された項目Ｍ１に関する複数の下位の項目Ｍ２が新たな選択肢として表示される。各項目Ｍ２の右側には、その項目について現在設定されているパラメーターＭ３が表示されている。ユーザーが複数の項目Ｍ２の中から１つを選択すると、選択された項目Ｍ２に関する図示しない設定画面が表示され、この設定画面上でパラメーターＭ３を変更することができる。ユーザーは、リモコン３の方向キー５５を操作することにより、項目Ｍ１，Ｍ２の選択やパラメーターＭ３の変更が可能であり、決定キー５６を操作することにより、選択した項目Ｍ１，Ｍ２や変更したパラメーターＭ３を確定させることができる。また、ユーザーは、メニュー画像Ｐｍが表示されている状態で再びリモコン３のメニューキー５２を操作することにより、メニュー画像Ｐｍの表示を終了することができる。
【００５３】
図８に戻って、ステップＳ２０２では、制御部１０は、上述したＨＤＭＩのＣＥＣにより、画像情報入力部１４を介して画像供給装置２に操作制限コマンドを出力する。画像供給装置２は、この操作制限コマンドが入力されると、後述する制限解除コマンドが入力されるまでの間、リモコン３の第３キー群６３に対応する操作信号、即ち第３キー群６３に含まれる操作キーが操作された際に送信される制御信号を無効にする。
【００５４】
ステップＳ２０３では、制御部１０は、リモコン３によりメニュー画像Ｐｍに対する設定操作、即ちリモコン３の方向キー５５又は決定キー５６が操作されたか否かを判断する。設定操作がなされた場合にはステップＳ２０４に処理を移し、設定操作がなされていない場合にはステップＳ２０５に処理を移す。
【００５５】
設定操作がなされてステップＳ２０４に移行した場合には、制御部１０は、設定操作に応じた設定処理を実行し、ステップＳ２０３に処理を戻す。具体的には、制御部１０は、方向キー５５の操作に応じて項目Ｍ１，Ｍ２やパラメーターＭ３を選択したり、決定キー５６の操作に応じて項目Ｍ１，Ｍ２やパラメーターＭ３を確定させたり、選択された項目Ｍ１に応じて表示する項目Ｍ２を更新したりする。
【００５６】
ステップＳ２０３で設定操作がなされずにステップＳ２０５に処理が移行した場合には、制御部１０は、ユーザーにより、メニュー画像Ｐｍの表示を終了するための終了操作、即ちリモコン３のメニューキー５２の操作がなされたか否かを判断する。制御部１０は、終了操作がなされた場合、即ち赤外線信号受信部１３が受信した操作信号が、メニュー画像Ｐｍの表示の終了を示す場合には、ステップＳ２０７に処理を移し、終了操作がなされていない場合にはステップＳ２０６に処理を移す。
【００５７】
ステップＳ２０６に処理が移行した場合には、制御部１０は、リモコン３の操作が所定時間なされていないか否か、即ち赤外線信号受信部１３がリモコン３からの操作信号を受信していない時間が、所定の時間に達したか否かを判断する。制御部３０は、所定時間に達した場合にはステップＳ２０７に処理を移し、所定時間に達していない場合にはステップＳ２０３に処理を戻す。
【００５８】
終了操作がなされるか、リモコン３の操作が所定の時間なされずにステップＳ２０７に処理が移行した場合には、制御部１０は、画像情報処理部１５を制御して、メニュー画像Ｐｍの表示を終了させ、コンテンツ画像やホーム画面Ｐｈの全体が表示される状態に復帰させる。
【００５９】
ステップＳ２０８では、制御部１０は、ＨＤＭＩのＣＥＣにより、画像情報入力部１４を介して画像供給装置２に制限解除コマンドを出力し、フローを終了する。画像供給装置２は、この制限解除コマンドが入力されると、これ以降、リモコン３の第３キー群６３に対応する制御信号に応じた制御を再開する。
【００６０】
図１０は、画像供給装置２の動作を説明するためのフローチャートである。画像供給装置２の制御部３０は、電源の供給が開始されると、図１０に示すフローに従って動作する。
【００６１】
図１０に示すように、ステップＳ３０１では、制御部３０は、画像供給装置２の動作状態を第１動作モードに設定する。第１動作モードは、リモコン３に備わるすべての操作キーが有効な動作状態である。
【００６２】
ステップＳ３０２では、制御部３０は、ＨＤＭＩのＣＥＣにより、プロジェクター１から画像情報出力部３４を介して操作制限コマンドが入力されたか否かを判断する。制御部３０は、操作制限コマンドが入力されていない場合には、ステップＳ３０３に処理を移し、操作制限コマンドが入力された場合にはステップＳ３０５に処理を移す。
【００６３】
操作制限コマンドが入力されずにステップＳ３０３に処理が移行した場合には、制御部３０は、リモコン３からの操作信号をブルートゥース通信部３５が受信したか否かを判断する。制御部３０は、操作信号を受信した場合にはステップＳ３０４に処理を移し、操作信号を受信していない場合には、ステップＳ３０２に処理を戻す。
【００６４】
操作信号を受信してステップＳ３０４に処理が移行した場合には、制御部３０は、受信した操作信号に応じた制御を実行し、その後、ステップＳ３０２に処理を戻す。例えば、ブルートゥース通信部３５が、リモコン３のホームキー５４が操作されたことを示す操作信号を受信した場合には、制御部３０は、ホーム画面Ｐｈの画像情報をプロジェクター１に出力させる制御を行う。また、ホーム画面Ｐｈが表示されている状態において、リモコン３の方向キー５５や決定キー５６が操作されたことを示す操作信号を受信した場合には、制御部３０は、コンテンツを切り替える制御を実行する。また、コンテンツ配信サービスを切り替えるための選択キー５３ａ，５３ｂが操作されたことを示す操作信号を受信した場合には、制御部３０は、新たなコンテンツ配信サービスに接続する制御を実行する。
【００６５】
ステップＳ３０２において操作制限コマンドが入力されてステップＳ３０５に処理が移行した場合には、制御部３０は、画像供給装置２の動作状態を第２動作モードに設定する。第２動作モードは、リモコン３に備わる操作キーのうち、第３キー群６３に含まれる操作キーが無効となる動作状態である。
【００６６】
ステップＳ３０６では、制御部３０は、リモコン３からの操作信号をブルートゥース通信部３５が受信したか否かを判断する。制御部３０は、操作信号を受信した場合にはステップＳ３０７に処理を移し、操作信号を受信していない場合には、ステップＳ３０９に処理を移す。
【００６７】
操作信号が入力されてステップＳ３０７に処理が移行した場合には、制御部３０は、入力された操作信号が、第３キー群６３に対応する操作信号、即ち第３キー群６３に含まれる操作キーが操作された際に送信される操作信号であるか否かを判断する。制御部３０は、受信した操作信号が、第３キー群６３に対応する操作信号でない場合にはステップＳ３０８に処理を移し、ステップＳ３０４と同様、受信した操作信号に応じた制御を行い、その後、ステップＳ３０９に処理を移す。一方、受信した操作信号が、第３キー群６３に対応する操作信号である場合には、制御部３０は、受信した操作信号に応じた制御を行うことなく、ステップＳ３０９に処理を移す。つまり、第２動作モードにおいて、制御部３０は、第３キー群６３に対応する操作信号を無効にする。言い換えれば、制御部３０は、第３キー群６３に対応する操作信号に応じた制御を停止する。
【００６８】
ステップＳ３０９では、制御部３０は、ＨＤＭＩのＣＥＣにより、画像情報出力部３４を介してプロジェクター１から制限解除コマンドが入力されたか否かを判断する。制御部３０は、制限解除コマンドが入力された場合にはステップＳ３０１に処理を戻し、画像供給装置２の動作状態を、すべての操作キーが有効な第１動作モードに切り替える。一方、制限解除コマンドが入力されていない場合には、制御部３０は、ステップＳ３０６に処理を戻し、第２動作モードを継続させる。
【００６９】
以上説明したように、本実施形態の画像表示システム１００及びその制御方法によれば、以下の効果を得ることができる。
【００７０】
（１）本実施形態によれば、画像供給装置２は、操作制限コマンドが入力されてから制限解除コマンドが入力されるまでの期間、第３キー群６３に対応する操作信号に基づいた制御を停止する。このため、この期間に設定操作として第３キー群６３の操作キーが操作されても、この操作は無効となり、画像供給装置２が意図しない動作をしてしまうことが抑制される。
【００７１】
（２）本実施形態によれば、プロジェクター１がメニュー画像Ｐｍを表示している間、画像供給装置２では、第３キー群６３の操作キーの操作が無効になるため、メニュー画像Ｐｍに対する操作によって画像供給装置２が意図しない動作をしてしまうことが抑制される。
【００７２】
（３）本実施形態によれば、プロジェクター１の制御部１０は、リモコン３によりメニュー画像Ｐｍの表示の終了が指示された場合に、制限解除コマンドを画像供給装置２に出力するため、ユーザーの指示に応じた期間、第３キー群６３の操作キーの操作を無効にすることができる。
【００７３】
（４）本実施形態によれば、プロジェクター１の制御部１０は、リモコン３の操作が所定時間なされていない場合に、制限解除コマンドを出力するため、第３キー群６３の操作キーの操作が無効となる期間がいたずらに長くなってしまうことが抑制される。
【００７４】
（５）本実施形態によれば、赤外線の操作信号とＢｌｕｅｔｏｏｔｈの操作信号の双方を送信可能なリモコン３を用いてプロジェクター１を操作した場合に、画像供給装置２が意図しない動作をしてしまうことが抑制される。
【００７５】
なお、上記実施形態において、第１キー群６１に含まれる操作キーが第１の操作キーに相当し、第２キー群６２に含まれる操作キーが第２の操作キーに相当し、第３キー群６３に含まれる操作キーが第３の操作キーに相当する。また、操作制限コマンドが第１のコマンドに相当し、制限解除コマンドが第２のコマンドに相当する。また、メニュー画像Ｐｍの表示が第１の動作に相当し、メニュー画像Ｐｍを表示するためのメニューキー５２の操作がなされることが、第１の動作を開始させる条件に相当する。また、メニュー画像Ｐｍの表示を終了するための終了操作がなされること、及び、リモコン３から赤外線の操作信号が入力されていない時間が所定時間に達することが、第１の動作を終了させる条件に相当し、いずれか一方の条件が満たされた場合に第２のコマンドが出力される。
【００７６】
また、上記実施形態は、以下のように変更してもよい。
【００７７】
上記実施形態において、プロジェクター１は、リモコン３のメニューキー５２が操作された場合に操作制限コマンドを画像供給装置２に出力しているが、操作部１２のメニューキーが操作された場合にも操作制限コマンドを出力することが望ましい。この構成によれば、リモコン３の操作と操作部１２の操作が混在する場合にも、画像供給装置２の意図しない動作を抑制することが可能となる。
【００７８】
上記実施形態では、プロジェクター１は、リモコン３のメニューキー５２が操作された際に１回だけ操作制限コマンドを出力しているが、画像供給装置２が操作制限コマンドの取得に失敗する恐れがある場合には、操作制限コマンドの出力を複数回行うことが望ましい。例えば、メニュー画像Ｐｍに対する設定操作、即ち方向キー５５や決定キー５６の操作がなされる度に操作制限コマンドを出力するようにしてもよい。
【００７９】
上記実施形態では、プロジェクター１は、リモコン３のメニューキー５２が操作された場合に操作制限コマンドを画像供給装置２に出力しているが、他の操作キーが操作された場合に操作制限コマンドを出力するようにしてもよい。例えば、プロジェクター１が、斜め方向からの投写に起因して台形状に歪んだ画像を矩形に補正する機能を有しており、この機能を実行するための操作キーとして台形歪み補正キーがリモコン３に備わる場合には、台形歪み補正キーが操作された際に操作制限コマンドを出力するようにしてもよい。この態様によれば、台形歪み補正キーを操作した後、方向キー５５や決定キー５６により補正方向や補正量を調整する際に、画像供給装置２が意図しない動作をしてしまうことが抑制される。この態様では、台形歪みの補正が第１の動作に相当する。
【００８０】
また、図示しないスピーカーから発せられる音声の音量を調整するための音量調整キーがリモコン３に備えられ、音量調整キーが操作された後で、方向キー５５や決定キー５６等の操作で音量の増減が可能となる態様では、音量調整キーが操作された場合に、操作制限コマンドを出力するようにしてもよい。また、画像情報入力部１４が複数の接続端子を有し、この中から有効な接続端子を選択するための入力選択キーがリモコン３に備わる態様では、入力選択キーが操作された際に、接続端子の一覧を含む入力選択画像をＯＳＤ画像として表示して、接続端子の選択するための方向キー５５や決定キー５６等の操作を受け付けるのに先立って、操作制限コマンドを出力するようにしてもよい。
【００８１】
上記実施形態では、メニュー画像Ｐｍの表示を開始させるための操作キーと、メニュー画像Ｐｍの表示を終了させる操作キーは、ともにメニューキー５２であるが、これらは、同一の操作キーである必要はなく、異なる操作キーであってもよい。
【００８２】
上記実施形態では、プロジェクター１は、リモコン３のメニューキー５２が操作された場合に操作制限コマンドを画像供給装置２に出力しているが、特定の処理が発生した場合に、操作キーの操作を伴わずに操作制限コマンドを出力し、当該処理が終了した場合に制限解除コマンドを出力するようにしてもよい。例えば、制御部１０は、プロジェクター１に異常が発生したことを検出した際に、画像情報処理部１５を制御して、異常が発生したことを報知するメッセージ等を含むメッセージ画像を表示中の供給画像上にＯＳＤ画像として重畳する処理を開始させる。具体的には、メッセージ画像の画像情報は、予め記憶部１１に記憶されており、制御部１０は、この画像情報を読み出して画像情報処理部１５に出力し、画像情報入力部１４から入力される画像情報にメッセージ画像の画像情報を重畳させる。制御部１０は、プロジェクター１に発生した異常を検出しなくなった際、画像情報処理部１５を制御して、メッセージ画像の重畳を終了させる。この場合、画像情報処理部１５がメッセージ画像を重畳する処理を開始する際に、制御部１０が画像供給装置２に操作制限コマンドを出力してもよい。また、画像情報処理部１５がメッセージ画像を重畳する処理を終了する際に、制御部１０が画像供給装置２に制限解除コマンドを出力してもよい。この態様では、メッセージ画像が、プロジェクター１の状態を示すメッセージを含む画像に相当し、メッセージ画像の表示が、第１の動作に相当する。また、プロジェクター１に異常が発生したことを検出することが、第１の動作を開始させる条件に相当し、プロジェクター１に発生した異常を検出しなくなることが、第１の動作を終了させる条件に相当する。
【００８３】
上記実施形態では、プロジェクター１が赤外線の操作信号で操作され、画像供給装置２がＢｌｕｅｔｏｏｔｈの操作信号で操作される態様を示したが、装置と通信方式の組合せを変えた態様としてもよい。また、赤外線及びＢｌｕｅｔｏｏｔｈ以外の通信方式の操作信号を採用してもよい。
【００８４】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００８５】
上記実施形態では、画像表示装置の一例として、プロジェクター１について説明しているが、画像表示装置はプロジェクター１に限定されず、液晶ディスプレイや有機ＥＬ（Electro Luminescence）ディスプレイ等、他の画像表示装置であってもよい。
【００８６】
上記実施形態では、画像供給装置２としてセットトップボックスを例示しているが、画像供給装置２は、セットトップボックスに限定されず、各種画像再生装置等であってもよい。
【００８７】
＊＊画像ソース選択時における変形例＊＊
上記実施形態では、プロジェクター１がメニュー画像Ｐｍを投射表示している場合における第１の動作の事例について説明したが、これに限定するものではない。詳しくは、画像供給装置２には関与せず、プロジェクター１に係る特定の操作が行われた場合や、特定の状態において、第１の動作を開始することであれば良い。
【００８８】
図１１は、本変形例のリモコン４の外観を示す平面図であり、図６に対応している。
図１１のリモコン４は、図６のリモコン３と基本的な構成は同じであるが、画像ソースの切替えを容易に行える構成となっている。詳しくは、リモコン４は、ソース選択キー５７、および４つのダイレクト選択キー８１〜８４を備えている。また、ＡＶ（Audio Visual）ミュートキー５８も備えている。前述したように、プロジェクター１の画像情報入力部１４には、ＨＤＭＩ端子を含む複数の接続端子が設けられている。詳しくは、３つのＨＤＭＩ端子と、１つのＶＧＡ（Video Graphics Array）端子とを備えている。ソース選択キー５７を操作すると、この４つの接続端子を一覧可能なソース選択画像がＯＳＤ表示される。なお、さらに、ＵＳＢ（Universal Serial Bus）端子や、ＬＡＮ（Local Area Network）端子などを備える構成であっても良い。
【００８９】
本変形例において、１つ目のＨＤＭＩ端子には画像供給装置２が接続されている。ダイレクト選択キー８１を操作すると、ソース選択画像は表示されずに、ダイレクトに１つ目のＨＤＭＩ端子が選択される。なお、１つ目のＨＤＭＩ端子のことをソースＳ１ともいう。
２つ目のＨＤＭＩ端子にはＢＤ（Blu-ray（登録商標） Disc）プレーヤーが接続されている。ダイレクト選択キー８２を操作すると、ダイレクトに２つ目のＨＤＭＩ端子が選択される。なお、２つ目のＨＤＭＩ端子のことをソースＳ２ともいう。
３つ目のＨＤＭＩ端子にはデジタルビデオカメラが接続されている。ダイレクト選択キー８３を操作すると、ダイレクトに３つ目のＨＤＭＩ端子が選択される。なお、３つ目のＨＤＭＩ端子のことをソースＳ３ともいう。
ＶＧＡ端子にはノート型ＰＣ（Personal Computer）が接続されている。ダイレクト選択キー８４を操作すると、ダイレクトにＶＧＡ端子が選択される。なお、ＶＧＡ端子のことをソースＳ４ともいう。
【００９０】
ソース選択キー５７、およびダイレクト選択キー８１〜８４は、プロジェクター１の操作にのみ用いられる第１キー群６１に含まれる。また、ＡＶミュートキー５８も第１キー群６１に含まれる。なお、リモコン４は、これらの画像ソース選択用の複数のキーを備えること以外は、前述のリモコン３と同一であり、図５〜図７での説明と同様の構成および機能を有する。以降、上記リモコン３と同一の部位については、同一の番号を付し、重複する説明は省略する。
【００９１】
＊＊ソース選択画像における動作態様＊＊
図１２は、ソース選択画像を表示する際のプロジェクター１の動作を示すフローチャートである。図１３は、ソース選択画像を示す図であり、図９に対応している。なお、上記説明と同一の部位については、同一の番号を付し、重複する説明は省略する。また、以下の動作は、プロジェクター１がリモコン４からの操作信号をトリガーとして、記憶部１１の制御プログラムに従い、プロジェクター１の各部を制御することにより実現される。
【００９２】
ステップＳ２１１では、リモコン４からのソース選択キー５７の操作入力を受け付ける。詳しくは、赤外線信号受信部１３は、リモコン４からのソース選択キー５７の操作信号を受信し、プロジェクター１の制御部１０に伝達する。
【００９３】
ステップＳ２１２では、制御部１０は、画像情報処理部１５により、ソース選択画像Ｐｓ１を表示させる。詳しくは、記憶部１１からソース選択画像Ｐｓ１の画像情報を読み出して画像情報処理部１５に出力する。これにより、図１３に示すソース選択画像Ｐｓ１が、コンテンツ画像やホーム画面Ｐｈ上にＯＳＤ画像として重畳表示される。
【００９４】
ソース選択画像Ｐｓ１は、プロジェクター１に接続されている画像供給装置２を含む複数の画像供給ソースの中から、所望の画像供給ソースを選択するための選択一覧画面である。換言すれば、プロジェクター１の複数の接続端子の一覧画面であり、所望の画像供給ソースが接続された接続端子を選択するための選択画面である。なお、画像供給ソースのことを画像ソース、またはソースともいう。
前述したように、プロジェクター１は、３つのＨＤＭＩ端子と、１つのＶＧＡ端子とを備えている。ソース選択画像Ｐｓ１には、上からソースＳ１、ソースＳ２、ソースＳ３、ソースＳ４の順番に並んで一覧表示されている。ソース選択画像Ｐｓ１では、画像供給装置２が接続するＨＤＭＩ端子であるソースＳ１が反転表示されており、選択された状態となっている。ソースＳ２のＨＤＭＩ端子にはＢＤプレーヤーが接続されている。ソースＳ３のＨＤＭＩ端子にはデジタルビデオカメラが接続されている。ソースＳ４のＨＤＭＩ端子にはＶＧＡ端子にはノート型ＰＣが接続されている。
【００９５】
ステップＳ２１３では、リモコン４からのソース選択キー５７の操作入力が再度あったか否か判断する。再度の操作入力があった場合は、ステップＳ２１４に進む。再度の操作入力がなかった場合は、ステップＳ２１５に進む。
【００９６】
ステップＳ２１４では、ソース選択キー５７の操作入力が行われたため、次の画像供給ソースを選択して、ステップＳ２１２に戻る。これにより、図１３のソース選択画像Ｐｓ２に示すように、ソースＳ１の次のソースＳ２が選択されて、ソースＳ２が反転表示される。なお、ソースＳ２が選択された状態で、再度、ソース選択キー５７が操作されると、次のソースＳ３が選択される。このように、所定時間内においてソース選択キー５７の操作が行われる都度、順次ソースが選択状態に切り替わることで、サイクリックにソース選択が可能となっている。
【００９７】
ステップＳ２１５では、ソース選択キー５７の操作入力がない状態が、所定時間経過したか否か判断する。所定時間経過した場合は、ステップＳ２１６に進む。所定時間経過していない場合は、ステップＳ２１３に戻る。なお、所定時間は数秒であり、好適例では、４秒としている。
【００９８】
ステップＳ２１６では、画像ソースを選択されているソースに切り替えた後、ソース選択画像の表示を終了する。換言すれば、選択中のソースで確定し、ソース選択画像の表示を終了する。例えば、ソース選択画像Ｐｓ２の場合、ＯＳＤ表示の背面で選択中の画像ソースからソースＳ２に画像ソースを切り替えて、ソース選択画像Ｐｓ２を終了する。
【００９９】
ステップＳ２１７では、選択されたソースが、ソースＳ１であるか否か判断する。ソースＳ１である場合は、処理を終了する。ソースＳ１ではない場合は、ステップＳ２１８に進む。
【０１００】
ステップＳ２１８では、制御部１０は、上述のＨＤＭＩのＣＥＣにより、画像情報入力部１４を介して画像供給装置２に操作制限コマンドを出力する。上記実施形態での説明の通り、操作制限コマンドを受信した画像供給装置２は、制限解除コマンドを受信するまでの間、リモコン４の第３キー群６３に対応する操作を無効とする。
【０１０１】
以上、説明したように、このソース選択プログラムによれば、選択されたソースが、ソースＳ１の場合、操作制限コマンドは出力されず、ソースＳ２〜Ｓ４の場合は操作制限コマンドが出力される。換言すれば、選択されたソースが、ソースＳ２〜Ｓ４の場合は、第１の動作を開始させる条件が満たされるため、操作制限コマンドが出力される。これにより、画像供給装置２が意図しない動作をしてしまうことを抑制できる。
【０１０２】
このように、プロジェクター１の制御部１０は、例えば、ソースＳ１が選択され、画像供給装置２から供給された画像情報を用いる第1の状態から、画像供給装置２から供給された画像情報を用いない第２の状態へ変更するためのソース選択キー５７の操作が行われた場合、画像供給装置２への第１のコマンドとしての操作制限コマンドの出力を行う。そして、再度、画像供給装置２を選択する操作が行われた場合、画像供給装置２への第２のコマンドとしての制限解除コマンドの出力を行う。なお、ソースＳ１以外の画像ソースが選択された状態から、ソース選択キー５７を操作することにより、ソースＳ１の画像供給装置２を選択することが、画像表示装置としてのプロジェクター１を第２の状態から第１の状態へ変更する操作が行われた場合に相当する。
【０１０３】
なお、図１２のフローチャートでは、ステップＳ２１６でソースを確定した後で、操作制限コマンドを出力する流れとなっているが、これに限定するものではない。例えば、ステップＳ２１２においてソース選択画像Ｐｓ１が表示された後、次のステップで操作制限コマンドを出力することであっても良い。この場合、ステップＳ２１７でソースＳ１が選択されている場合は、制限解除コマンドを出力する。この方法であっても、同様の作用効果を得ることができる。
【０１０４】
＊＊ダイレクトソース選択における動作態様＊＊
図１４は、ダイレクト選択キーを操作した場合の処理の流れを示すフローチャートである。前述の通り、リモコン４のダイレクト選択キー８１〜８４を操作した場合、ソース選択画像は表示されずに、ダイレクトに所望の画像ソースが選択される。以下、ダイレクト選択キーが押された場合のプロジェクター１の動作フローについて、図１４を主体に、適宜、図１１を交えて説明する。なお、上記説明と重複する説明は省略する。
【０１０５】
ステップＳ２２１では、リモコン４からのダイレクト選択キー８１〜８４の操作入力を受け付ける。例えば、ダイレクト選択キー８２が操作された場合、赤外線信号受信部１３は、リモコン４からのダイレクト選択キー８２の操作信号を受信し、プロジェクター１の制御部１０に伝達する。
【０１０６】
ステップＳ２２２では、ダイレクト選択キー８２に対応する画像ソースに切り替える。詳しくは、ダイレクト選択キー８２に対応する２つ目のＨＤＭＩ端子に接続されたＢＤプレーヤーの画像ソースに切り替えられる。
なお、ステップＳ２２１でダイレクト選択キー８１が操作された場合は、１つ目のＨＤＭＩ端子に接続された画像供給装置２の画像ソースに切り替えられる。同様に、ダイレクト選択キー８３が操作された場合は、３つ目のＨＤＭＩ端子に接続されたデジタルビデオカメラの画像ソースに切り替えられる。ダイレクト選択キー８４が操作された場合は、ＶＧＡ端子に接続されたノート型ＰＣの画像ソースに切り替えられる。
【０１０７】
ステップＳ２２３では、制御部１０は、上述のＨＤＭＩのＣＥＣにより、画像情報入力部１４を介して画像供給装置２に操作制限コマンドを出力する。これにより、操作制限コマンドを受信した画像供給装置２は、制限解除コマンドを受信するまでの間、リモコン４の第３キー群６３に対応する操作を無効とする。
なお、ダイレクト選択キー８１が操作された場合に限り、ステップＳ２２３において操作制限コマンドは出力されない設定となっている。
【０１０８】
以上、説明したように、リモコン４のダイレクト選択キー８１〜８４を操作した場合においても、ソース選択キー５７を用いた場合と同様の作用効果を得ることができる。詳しくは、ダイレクト選択キー８１〜８４の操作により、選択されたソースがソースＳ１の場合、操作制限コマンドは出力されず、ソースＳ２〜Ｓ４の場合は操作制限コマンドが出力される。換言すれば、選択されたソースが、ソースＳ２〜Ｓ４の場合は、第１の動作を開始させる条件が満たされるため、操作制限コマンドが出力される。これにより、画像供給装置２が意図しない動作をしてしまうことを抑制できる。さらに、ソース選択画像は表示されずに、ダイレクトに所望の画像ソースを選択することができるため、利便性が良い。
【０１０９】
＊＊ＡＶミュートキー操作による動作態様＊＊
図１５は、ＡＶミュートキーを操作した場合の処理の流れを示すフローチャートである。操作制限コマンドの出力は、画像ソースを選択する場合に限らず、プロジェクター１に係る特定の操作が行われた場合や、特定の状態において実行される。換言すれば、操作制限コマンドの出力は、画像供給装置２には関与しないプロジェクター１に係る特定の操作が行われた場合や、プロジェクター１の特定の状態において実行される。
以下、ＡＶミュートキーが押された場合のプロジェクター１の動作フローについて、図１５を主体に、適宜、図１１を交えて説明する。なお、上記説明と重複する説明は省略する。
【０１１０】
ステップＳ２３１では、リモコン４からのＡＶミュートキー５８の操作入力を受け付ける。ＡＶミュートキー５８が操作された場合、赤外線信号受信部１３は、リモコン４からのＡＶミュートキー５８の操作信号を受信し、プロジェクター１の制御部１０に伝達する。
【０１１１】
ステップＳ２３２では、ＡＶミュートが実行される。詳しくは、プロジェクター１は、画像の投射、および音声の出力を一時停止し、ＡＶミュート状態となる。なお、ＡＶミュートは、例えば、ユーザーがスクリーンの前に立って参加者に説明を行いたい場合など、プロジェクター１による画像投射を一時的に止めたい場合に使用する機能である。
また、ＡＶミュートの実行は、ＡＶミュートキー５８が操作された場合のみに限定されず、画像ソースが所定時間供給されない場合にも、ＡＶミュートが実行される。例えば、ソースＳ２が選択された状態で、ＢＤプレーヤーから１時間以上、画像ソースが供給されない場合は、自動的にＡＶミュートが実行される。所定の時間は１時間に限らず、プロジェクター１の操作部１２により、適宜、設定が可能である。また、ソースＳ１が選択されている場合においても、同様に、画像ソースが所定時間供給されない場合はＡＶミュートが実行される。
【０１１２】
ステップＳ２３３では、制御部１０は、上述のＨＤＭＩのＣＥＣにより、画像情報入力部１４を介して画像供給装置２に操作制限コマンドを出力する。これにより、操作制限コマンドを受信した画像供給装置２は、制限解除コマンドを受信するまでの間、リモコン４の第３キー群６３に対応する操作を無効とする。
なお、ＡＶミュート状態において、再度、ＡＶミュートキー５８が操作されると、画像の投射、および音声出力を再開する。また、同時に、制限解除コマンドを画像供給装置２に出力する設定となっている。
【０１１３】
以上、説明したように、ＡＶミュートが実行された場合は、ソースＳ１〜Ｓ４のいずれが選択された場合においても、操作制限コマンドが出力される。これにより、画像供給装置２が意図しない動作をしてしまうことを抑制できる。
【０１１４】
＊＊特定の処理が発生した場合における動作態様＊＊
また、プロジェクター１に係る特定の処理が発生した場合においては、操作キーの操作がなくても、操作制限コマンドを出力し、当該処理が終了した場合に制限解除コマンドを出力することであっても良い。例えば、プロジェクター１を初めて使用する際などにおいて、初期設定画面が表示された場合は、初期設定画面の表示に伴って、画像供給装置２に操作制限コマンドが出力される。そして、初期設定が終了したら、画像供給装置２に制限解除コマンドが出力される。これは、前述のプロジェクター１に異常が発生した際における異常報知メッセージが表示された場合と、同様である。
このように、プロジェクター１の特定の状態において操作制限コマンドが出力されることにより、画像供給装置２が意図しない動作をしてしまうことを抑制することができる。
【０１１５】
以下に、実施形態から導き出される内容を記載する。
【０１１６】
画像表示システムは、画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムであって、前記リモコンは、第１の操作キー、第２の操作キー、及び第３の操作キーと、第１の操作信号を送信する第１の送信部と、前記第１の操作信号とは通信方式が異なる第２の操作信号を送信する第２の送信部と、前記第１の操作キーが操作された場合に、前記第１の送信部から前記第１の操作信号を送信させ、前記第２の操作キーが操作された場合に、前記第２の送信部から前記第２の操作信号を送信させ、前記第３の操作キーが操作された場合に、前記第１の送信部からの前記第１の操作信号の送信と、前記第２の送信部からの前記第２の操作信号の送信とを行わせるリモコン制御部と、を有し、前記画像表示装置は、前記画像供給装置に接続される第１の入出力部と、前記第１の操作信号を受信する第１の受信部と、前記第１の受信部で受信した前記第１の操作信号に応じた制御を行う第１の制御部と、を有し、前記画像供給装置は、前記画像表示装置に接続される第２の入出力部と、前記第２の操作信号を受信する第２の受信部と、前記第２の受信部で受信した前記第２の操作信号に応じた制御を行う第２の制御部と、を有し、前記第１の制御部は、第１の動作を開始させる条件が満たされた場合に、前記第１の動作を開始させる制御と、前記画像供給装置への第１のコマンドの出力とを行い、前記第１のコマンドを出力した後で前記第１の動作を終了させる条件が満たされた場合に、前記第１の動作を終了させる制御と、前記画像供給装置への第２のコマンドの出力とを行い、前記第２の制御部は、前記第１のコマンドが入力されてから前記第２のコマンドが入力されるまでの間、前記第３の操作キーが操作された場合に送信される前記第２の操作信号に応じた制御を停止することを特徴とする。
【０１１７】
この構成によれば、画像供給装置は、第１のコマンドが入力されてから第２のコマンドが入力されるまでの間、第３の操作キーが操作された場合に送信される第２の操作信号に基づいた制御を停止する。このため、画像表示装置が第１の動作を行っている間、第１の動作に関連して第３の操作キーが操作されても、この操作は無効となり、画像供給装置が意図しない動作をしてしまうことが抑制される。
【０１１８】
上記の画像表示システムにおいて、前記第１の動作を開始させる条件は、前記第１の受信部が受信した前記第１の操作信号が、前記第１の動作の開始を示すことであってもよい。
【０１１９】
この構成によれば、第１の制御部は、第１の受信部が第１の動作の開始を示す第１の操作信号をリモコンから受信した場合に、第１のコマンドを出力するため、ユーザーの指示に応じたタイミングで、第３の操作キーの操作を無効にすることができる。
【０１２０】
上記の画像表示システムにおいて、前記第１の動作を終了させる条件は、前記第１の受信部が受信した前記第１の操作信号が、前記第１の動作の終了を示すことであってもよい。
【０１２１】
この構成によれば、第１の制御部は、第１の受信部が第１の動作の終了を示す第１の操作信号をリモコンから受信した場合に、第２のコマンドを出力するため、ユーザーの指示に応じた期間、第３の操作キーの操作を無効にすることができる。
【０１２２】
上記の画像表示システムにおいて、前記第１の動作を終了させる条件は、前記第１の受信部により前記第１の操作信号が受信されていない時間が、所定の時間に達することであってもよい。
【０１２３】
この構成によれば、第１の制御部は、第１の操作信号が受信されていない時間が所定の時間に達した場合に、第２のコマンドを出力するため、第３の操作キーの操作が無効となる期間がいたずらに長くなってしまうことが抑制される。
【０１２４】
上記の画像表示システムにおいて、前記第１の動作は、前記画像表示装置の設定を行うためのメニュー画像の表示であってもよい。
【０１２５】
この構成によれば、画像表示装置がメニュー画像を表示している間、画像供給装置では、第３の操作キーの操作が無効になるため、メニュー画像に対する操作によって画像供給装置が意図しない動作をしてしまうことが抑制される。
【０１２６】
上記の画像表示システムにおいて、前記第１の動作は、前記画像表示装置の状態を示すメッセージを含む画像の表示であってもよい。
【０１２７】
この構成によれば、画像表示装置の状態をユーザーに通知している間、第３の操作キーの操作が無効になるため、画像供給装置が意図しない動作をしてしまうことが抑制される。
【０１２８】
上記の画像表示システムにおいて、前記第１の操作信号は、赤外線の操作信号であり、前記第２の操作信号は、Ｂｌｕｅｔｏｏｔｈの操作信号であってもよい。
【０１２９】
この構成によれば、赤外線信号とＢｌｕｅｔｏｏｔｈ信号の双方を送信可能なリモコンを用いて画像表示装置を操作した場合に、画像供給装置が意図しない動作をしてしまうことが抑制される。
【０１３０】
画像表示システムの制御方法は、画像情報を供給する画像供給装置と、前記画像供給装置から供給される前記画像情報に基づいて画像を表示する画像表示装置と、前記画像供給装置及び前記画像表示装置を遠隔操作するリモコンと、を備えた画像表示システムの制御方法であって、前記リモコンに備わる第１の操作キーが操作された場合に、前記リモコンが、第１の操作信号を送信し、前記リモコンに備わる第２の操作キーが操作された場合に、前記リモコンが、前記第１の操作信号とは通信方式が異なる第２の操作信号を送信し、前記リモコンに備わる第３の操作キーが操作された場合に、前記リモコンが、前記第１の操作信号の送信と、前記第２の操作信号の送信とを行い、前記画像表示装置が、前記第１の操作信号を受信して、前記第１の操作信号に応じた制御を行い、前記画像供給装置が、前記第２の操作信号を受信して、前記第２の操作信号に応じた制御を行い、第１の動作を開始させる条件が満たされた場合に、前記画像表示装置が、前記第１の動作を開始させる制御と、前記画像供給装置への第１のコマンドの出力とを行い、前記画像表示装置が、前記第１のコマンドを出力した後で、前記第１の動作を終了させる条件が満たされた場合に、前記第１の動作を終了させる制御と、前記画像供給装置への第２のコマンドの出力とを行い、前記画像供給装置が、前記第１のコマンドが入力されてから前記第２のコマンドが入力されるまでの間、前記第３の操作キーが操作された場合に送信される前記第２の操作信号に応じた制御を停止することを特徴とする。
【０１３１】
この制御方法によれば、画像供給装置は、第１のコマンドが入力されてから第２のコマンドが入力されるまでの間、第３の操作キーが操作された場合に送信される第２の操作信号に基づいた制御を停止する。このため、画像表示装置が第１の動作を行っている間、第１の動作に関連して第３の操作キーが操作されても、この操作は無効となり、画像供給装置が意図しない動作をしてしまうことが抑制される。
【０１３２】
画像表示システムは、画像情報を供給する画像供給装置と、画像供給装置から供給される画像情報に基づいて画像を表示する画像表示装置と、画像供給装置及び画像表示装置を遠隔操作するリモコンと、を備えた画像表示システムであって、リモコンは、第１の操作キー、第２の操作キー、及び第３の操作キーと、第１の操作信号を送信する第１の送信部と、第１の操作信号とは通信方式が異なる第２の操作信号を送信する第２の送信部と、第１の操作キーが操作された場合に、第１の送信部から第１の操作信号を送信させ、第２の操作キーが操作された場合に、第２の送信部から第２の操作信号を送信させ、第３の操作キーが操作された場合に、第１の送信部からの第１の操作信号の送信と、第２の送信部からの第２の操作信号の送信とを行わせるリモコン制御部と、を有し、画像表示装置は、画像供給装置に接続される第１の入出力部と、第１の操作信号を受信する第１の受信部と、第１の受信部で受信した第１の操作信号に応じた制御を行う第１の制御部と、を有し、画像供給装置は、画像表示装置に接続される第２の入出力部と、第２の操作信号を受信する第２の受信部と、第２の受信部で受信した第２の操作信号に応じた制御を行う第２の制御部と、を有し、第１の制御部は、画像表示装置が、画像供給装置から供給された画像情報を用いる第1の状態から、画像供給装置から供給された画像情報を用いない第２の状態へ変更する操作が行われた場合、画像供給装置への第１のコマンドの出力を行い、画像表示装置を第２の状態から第１の状態へ変更する操作が行われた場合、画像供給装置への第２のコマンドの出力を行い、第２の制御部は、第１のコマンドが入力されてから第２のコマンドが入力されるまでの間、第３の操作キーが操作された場合に送信される第２の操作信号に応じた制御を停止することを特徴とする。
【０１３３】
この構成によれば、画像供給装置は、第１のコマンドが入力されてから第２のコマンドが入力されるまでの間、第３の操作キーが操作された場合に送信される第２の操作信号に基づいた制御を停止する。詳しくは、第１のコマンドは、画像供給装置から供給された画像情報を用いない第２の状態へ変更する操作が行われた場合に出力されるため、以降、第３の操作キーが操作されても、この操作は無効となり、画像供給装置が意図しない動作をしてしまうことが抑制される。換言すれば、画像供給装置には関与しない、画像表示装置に係る特定の操作が行われた場合に、第１のコマンドを出力することにより、画像供給装置が意図しない動作をしてしまうことを抑制することができる。
【符号の説明】
【０１３４】
１…プロジェクター、２…画像供給装置、３，４…リモコン、１０…制御部、１１…記憶部、１２…操作部、１３…赤外線信号受信部、１４…画像情報入力部、１５…画像情報処理部、１６…画像投写部、２１…光源、２２Ｒ，２２Ｇ，２２Ｂ…液晶ライトバルブ、２２ｉ…画像形成領域、２３…投写光学系、２４…ライトバルブ駆動部、３０…制御部、３１…記憶部、３２…ネットワーク通信部、３３…デコーダー、３４…画像情報出力部、３５…ブルートゥース通信部、４０…制御部、４１…操作部、４２…赤外線信号送信部、４３…ブルートゥース通信部、５１…電源キー、５２…メニューキー、５３ａ，５３ｂ…選択キー、５４…ホームキー、５５…方向キー、５６…決定キー、５７…ソース選択キー、５８…ＡＶミュートキー、８１〜８４…ダイレクト選択キー、６１…第１キー群、６２…第２キー群、６３…第３キー群、７１…アイコン、７２…サムネイル画像、１００…画像表示システム、Ｃ１…ケーブル、Ｃ２…ケーブル、Ｍ１，Ｍ２…項目、Ｍ３…パラメーター、ＮＷ…ネットワーク、Ｐｈ…ホーム画面、Ｐｍ…メニュー画像、Ｐｓ１，Ｐｓ２…ソース選択画像、Ｓ１〜Ｓ４…ソース、Ｓｐ…投写面。
【図１】
2020181557.tif 000003
【図２】
2020181557.tif 000004
【図３】
2020181557.tif 000005
【図４】
2020181557.tif 000006
【図５】
2020181557.tif 000007
【図６】
2020181557.tif 000008
【図７】
2020181557.tif 000009
【図８】
2020181557.tif 000010
【図９】
2020181557.tif 000011
【図１０】
2020181557.tif 000012
【図１１】
2020181557.tif 000013
【図１２】
2020181557.tif 000014
【図１３】
2020181557.tif 000015
【図１４】
2020181557.tif 000016
【図１５】
2020181557.tif 000017